(57)【特許請求の範囲】
【請求項１】
撮影レンズ系から撮影用受光部に向かう撮影光路に対する一方の側方領域に位置するファインダ光学系と、上記撮影光路に対して上記ファインダ光学系と反対側の側方領域に位置する焦点検出装置；
上記撮影光路上に位置して上記撮影レンズ系からの被写体光束を上記ファインダ光学系に反射させると共に、上記被写体光束の所定の割合を透過させるファインダ導光位置と、上記撮影光路外に退避する退避位置とに動作可能なメインミラー；
上記メインミラーに連動して動作し、上記メインミラーが上記退避位置にあるときに上記撮影光路から退避し、上記メインミラーが上記ファインダ導光位置にあるときに上記メインミラーを透過した上記被写体光束を上記焦点検出装置に向けて反射するサブミラー；
上記メインミラーを支持するメインミラー支持部材に設けられ、上記ファインダ導光位置にある上記メインミラーを透過した被写体光束を上記サブミラー側に通過させる光通過部；
上記焦点検出装置に設けられ、上記光通過部を通って上記サブミラーで反射された上記被写体光束が入射する入射開口；及び
上記メインミラー支持部材に設けられ、上記メインミラーが上記ファインダ導光位置にあるときの上記光通過部と上記入射開口を結ぶ空間内に位置する遮光部；
を備え、
上記サブミラーを支持するサブミラー支持部材は上記メインミラー支持部材に対して回動可能に支持されており、上記遮光部は上記サブミラー支持部材の回動軌跡と重ならない位置に設けられていることを特徴とする撮像装置。
【請求項２】
撮影レンズ系から撮影用受光部に向かう撮影光路に対する一方の側方領域に位置するファインダ光学系と、上記撮影光路に対して上記ファインダ光学系と反対側の側方領域に位置する焦点検出装置；
上記撮影光路上に位置して上記撮影レンズ系からの被写体光束を上記ファインダ光学系と上記焦点検出装置に分けて導く第１の状態と、上記撮影光路外に退避する第２の状態とに動作可能な可動ミラー；及び
上記可動ミラーを支持する支持部材に設けられ、上記可動ミラーが上記第１の状態にあるときに、上記ファインダ光学系側から上記可動ミラーを通して上記焦点検出装置に向かう迷光を遮る遮光部；
を備え、
上記可動ミラーは、
上記第１の状態で、上記撮影レンズ系からの上記被写体光束を上記ファインダ光学系に反射させると共に、上記被写体光束の所定の割合を透過させるメインミラーと、
上記第１の状態で、上記メインミラーを透過した上記被写体光束を上記焦点検出装置に向けて反射するサブミラーと、
を有し、
上記遮光部は、上記メインミラーを支持するメインミラー支持部材に、上記メインミラーよりも上記焦点検出装置側に位置させて設けられ、
上記サブミラーを支持するサブミラー支持部材は上記メインミラー支持部材に対して回動可能に支持されており、上記遮光部は上記サブミラー支持部材の回動軌跡と重ならない位置に設けられていることを特徴とする撮像装置。
【請求項３】
請求項２記載の撮像装置において、
上記メインミラー支持部材は、上記第１の状態で上記メインミラーを透過した上記被写体光束を上記サブミラー側に通過させる光通過部を有し、
上記焦点検出装置は、上記光通過部を通って上記サブミラーで反射された上記被写体光束が入射する入射開口を有し、
上記遮光部は、上記第１の状態で上記光通過部と上記入射開口を結ぶ空間内に位置している撮像装置。
【請求項４】
請求項１ないし３のいずれか１項記載の撮像装置において、上記遮光部は、上記メインミラー支持部材に接続する支持部から離れるにつれて上記メインミラーとの間隔を大きくする板状である撮像装置。
【請求項５】
請求項１ないし４のいずれか１項記載の撮像装置において、上記遮光部は、上記メインミラーに向く側に光の反射率を下げる反射低減部を有している撮像装置。
【発明の詳細な説明】
【技術分野】
【０００１】
本発明は、焦点検出装置を有する撮像装置に関する。
【背景技術】
【０００２】
焦点検出装置を有する撮像装置の一例として、一眼レフカメラのカメラボディ内部の光学系を図７に模式的に示した。カメラボディの前面にはレンズマウント７０が設けられ、レンズマウント７０には図示を省略するレンズ鏡筒が取り付けられる。カメラボディ内部には、レンズマウント７０の後方にクイックリターンミラー７１が設けられ、クイックリターンミラー７１の上方にピント板７２が設けられ、クイックリターンミラー７１の下方に焦点検出装置７３が設けられている。ピント板７２の上方には図示を省略するペンタゴナルダハプリズムや接眼レンズなどが設けられ、これらの光学要素とピント板７２によってファインダ光学系が構成される。図７では図示を省略しているが、クイックリターンミラー７１の後方（図７中の右方）にシャッタが設けられ、シャッタの後方に撮像用の受光部（イメージセンサやフィルム）が設けられている。
【０００３】
クイックリターンミラー７１はメインミラー７４とサブミラー７５を備えている。メインミラー７４は、レンズ鏡筒内の光学系からカメラボディ内に入る被写体光束をピント板７２（ファインダ光学系）側に反射するファインダ導光位置（図７に示す位置）と、ピント板７２に接近して被写体光束をシャッタ側へ通過させる退避位置とに移動可能である。ファインダ導光位置にあるメインミラー７４で反射された被写体光束がピント板７２に結像し、ファインダ光学系を通して被写体像を観察することができる。メインミラー７４において、ファインダ導光位置にあるときに斜め前方を向き、退避位置にあるときに上方（ピント板７２側）を向く側の面を表面とし、その反対側（ファインダ導光位置にあるときに斜め後方を向き、退避位置にあるときに下方を向く側）を裏面とする。
【０００４】
サブミラー７５は、メインミラー７４の裏面側に可動に支持されており、メインミラー７４と連動して動作する。図７に示すように、メインミラー７４がファインダ導光位置にあるときには、サブミラー７５はメインミラー７４に対して斜め下方に突出した反射位置に保持される。メインミラー７４はハーフミラーであり、メインミラー７４がファインダ導光位置にあるときに被写体光束が所定の割合でメインミラー７４を透過して、反射位置にあるサブミラー７５によって焦点検出装置７３に向けて反射される。メインミラー７４が退避位置に移動すると、サブミラー７５はメインミラー７４の裏面に沿う収納位置に移動し、シャッタ側への被写体光束の進行を妨げない。
【０００５】
焦点検出装置７３は、撮影画面の複数領域の焦点検出が可能なマルチ測距用のＡＦモジュールであり、コンデンサレンズ７６、第１ミラー７７、第２ミラー７８、セパレータマスク７９、セパレータレンズ８０、焦点検出部８１を備えている。図示を省略しているが、焦点検出部８１の前面に赤外線（ＩＲ）カットフィルタが設けられている。ファインダ導光位置にあるメインミラー７４を透過して反射位置にあるサブミラー７５で反射された被写体光束は、コンデンサレンズ７６を通って第１ミラー７７と第２ミラー７８で順次反射され、セパレータマスク７９とセパレータレンズ８０を通して分割された被写体像が焦点検出部８１の受光面上に形成される。焦点検出部８１はラインセンサを備えており、位相差方式によって各測距エリアの合焦状態が検出される。
【０００６】
以上の光学系を有する一眼レフカメラで、レンズ鏡筒内の光学系からメインミラー７４に向かう被写体光束のうち特定方向の光線Ｌ１を図７に一点鎖線で示した。メインミラー７４がファインダ導光位置にあるときには、光線Ｌ１は、メインミラー７４によってピント板７２に向けて反射される光線Ｌ２と、メインミラー７４を透過してサブミラー７５で反射されて前述した経路で焦点検出装置７３の焦点検出部８１に達する光線Ｌ３とに別れる。光線Ｌ３が焦点検出用の正規光となる。
【０００７】
メインミラー７４からピント板７２に向かう光線Ｌ２は、ピント板７２を通してファインダ光学系側に進むが、その一部がピント板７２で反射されてメインミラー７４側に戻る光線Ｌ２’となる場合がある。メインミラー７４はハーフミラーであるため、ピント板７２からの反射光である光線Ｌ２’を、所定の割合でレンズマウント７０側に反射させずに光線Ｌ３’として透過させる。図７に示すように、この光線Ｌ３’は、焦点検出用の正規光である光線Ｌ３と異なる経路で焦点検出装置７３に入る迷光となり、焦点検出精度の低下を招くおそれがある。
【０００８】
より詳しくは、メインミラー７４を透過した光線Ｌ３’は、コンデンサレンズ７６を通り第１ミラー７７に達する。第１ミラー７７はピント板７２に対して概ね正対する位置関係にあるため、光線Ｌ３’は第１ミラー７７で反射されてコンデンサレンズ７６を通して再度メインミラー７４側へ向かい、メインミラー７４の裏面側で反射してサブミラー７５に向かう。図７に示すように、迷光である光線Ｌ３’は正規光である光線Ｌ３からずれた位置でサブミラー７５に達し、コンデンサレンズ７６、第１ミラー７７、第２ミラー７８、セパレータマスク７９、セパレータレンズ８０を経由して光線Ｌ３と異なる位置で焦点検出部８１に達する。その結果、焦点検出部８１の当該位置に本来入射するべき正規光に対して光線Ｌ３’が悪影響を及ぼしてしまう。
【０００９】
カメラの焦点検出装置における迷光対策が特許文献１ないし４などで提案されている。これらの既存技術では、焦点検出装置の内部に迷光を遮断する部位を設けており、製造や調整の難度が高いという課題がある。
【００１０】
特許文献５には、メインミラーを支持するメインミラー枠に遮光壁を設けた構成が記載されている。この遮光壁は、メインミラーが退避位置にある露光動作時にファインダ光学系からの逆入射光を遮るためのものであり、図７に示したような測距時の焦点検出装置に対する迷光対策として機能する部位ではない。
【先行技術文献】
【特許文献】
【００１１】
【特許文献１】特開平６−２６５７７９号公報
【特許文献２】特開２００１−１２４９８３号公報
【特許文献３】特開２０１２−３７８２８号公報
【特許文献４】特開２０１２−１４５８５９号公報
【特許文献５】特開２００４−３１７７５１号公報
【発明の概要】
【発明が解決しようとする課題】
【００１２】
本発明は以上の問題点に鑑みてなされたものであり、焦点検出装置を有する撮像装置において、コストや生産性に優れる簡単な構成によって、焦点検出に有害な迷光を防ぐことを目的とする。
【課題を解決するための手段】
【００１３】
本発明の撮像装置は、撮影レンズ系から撮影用受光部に向かう撮影光路に対する一方の側方領域に位置するファインダ光学系と、撮影光路に対してファインダ光学系と反対側の側方領域に位置する焦点検出装置と、撮影光路上に位置して撮影レンズ系からの被写体光束をファインダ光学系に反射させると共に被写体光束の所定の割合を透過させるファインダ導光位置と、撮影光路外に退避する退避位置とに動作可能なメインミラーと、メインミラーに連動して動作し、メインミラーが退避位置にあるときに撮影光路から退避し、メインミラーがファインダ導光位置にあるときにメインミラーを透過した被写体光束を焦点検出装置に向けて反射するサブミラーと、メインミラーを支持するメインミラー支持部材に設けられ、ファインダ導光位置にあるメインミラーを透過した被写体光束をサブミラー側に通過させる光通過部と、焦点検出装置に設けられ、光通過部を通ってサブミラーで反射された被写体光束が入射する入射開口と、メインミラー支持部材に設けられ、メインミラーがファインダ導光位置にあるときの光通過部と入射開口を結ぶ空間内に位置する遮光部を備え、サブミラーを支持するサブミラー支持部材はメインミラー支持部材に対して回動可能に支持されており、遮光部はサブミラー支持部材の回動軌跡と重ならない位置に設けられていることを特徴とする。
【００１４】
本発明の撮像装置はまた、撮影レンズ系から撮影用受光部に向かう撮影光路に対する一方の側方領域に位置するファインダ光学系と、撮影光路に対してファインダ光学系と反対側の側方領域に位置する焦点検出装置と、撮影光路上に位置して撮影レンズ系からの被写体光束をファインダ光学系と焦点検出装置に分けて導く第１の状態と、撮影光路外に退避する第２の状態とに動作可能な可動ミラーと、可動ミラーを支持する支持部材に設けられ、可動ミラーが第１の状態にあるときに、ファインダ光学系側から可動ミラーを通して焦点検出装置に向かう迷光を遮る遮光部を備え、可動ミラーは、第１の状態で撮影レンズ系からの被写体光束をファインダ光学系に反射させると共に被写体光束の所定の割合を透過させるメインミラーと、第１の状態でメインミラーを透過した被写体光束を焦点検出装置に向けて反射するサブミラーとを有しており、遮光部は、メインミラーを支持するメインミラー支持部材に、メインミラーよりも焦点検出装置側に位置させて設けられ、サブミラーを支持するサブミラー支持部材はメインミラー支持部材に対して回動可能に支持されており、遮光部はサブミラー支持部材の回動軌跡と重ならない位置に設けられていることを特徴とする。
【００１６】
メインミラー支持部材は、第１の状態でメインミラーを透過した被写体光束をサブミラー側に通過させる光通過部を有し、焦点検出装置は、光通過部を通ってサブミラーで反射された被写体光束が入射する入射開口を有し、第１の状態で光通過部と入射開口を結ぶ空間内に遮光部を配置するとよい。
【００１８】
遮光部は、メインミラー支持部材に接続する支持部から離れるにつれてメインミラーとの間隔を大きくする板状であることが好ましい。
【００１９】
遮光部のうちメインミラーに向く側に光の反射率を下げる反射低減部を設けてもよい。
【発明の効果】
【００２０】
本発明によれば、焦点検出装置を有する撮像装置において、焦点検出装置やカメラボディの構造を複雑化させずに、簡単かつ確実に焦点検出に有害な迷光を防ぐことができる。
【図面の簡単な説明】
【００２１】
【図１】本発明を適用した一眼レフカメラの内部構造を示す側断面図である。
【図２】図１の一眼レフカメラのミラーダウン状態における光学系の側断面図である。
【図３】図１の一眼レフカメラのミラーアップ状態における光学系の側断面図である。
【図４】クイックリターンミラーの斜視図である。
【図５】クイックリターンミラーに設けられる遮光部材の斜視図である。
【図６】図４からカバー部材を取り除いた状態のクイックリターンミラーの前端付近の斜視図である。
【図７】一眼レフカメラの光学系を模式的に示した図である。
【発明を実施するための形態】
【００２２】
図１に示す一眼レフカメラ（撮像装置）１０は、カメラボディ１１の前面に交換式のレンズ鏡筒１２を着脱させるレンズマウント１３を有し、カメラボディ１１内にミラーボックス１４が設けられている。レンズ鏡筒１２には複数枚（群）のレンズで構成された撮影レンズ系１２ａが内蔵されている。なお、図１ではレンズ鏡筒１２は後端付近の一部のみを示しており、撮影レンズ系１２ａは最も後方のレンズのみを示している。撮影レンズ系１２ａの光軸ＯＡを図１と図２に一点鎖線で示している。以下の説明における前後方向は光軸ＯＡに沿う方向を意味し、カメラボディ１１におけるレンズ鏡筒１２側（図１ないし図３中の左方）を前方とし、その反対方向（図１ないし図３中の右方）を後方とする。
【００２３】
ミラーボックス１４内にはクイックリターンミラー（可動ミラー）１５が支持され、クイックリターンミラー１５の上方にファインダ光学系１６が設けられ、クイックリターンミラー１５の下方に焦点検出装置１７が設けられている。ファインダ光学系１６は、クイックリターンミラー１５に近い側から順に（下方から順に）ピント板１８とディストーション補正レンズ１９とペンタゴナルダハプリズム２０を有しており、さらにペンタゴナルダハプリズム２０の後方に位置する接眼レンズ（図示略）を有している。
【００２４】
カメラボディ１１内にはさらに、クイックリターンミラー１５の後方に位置するシャッタユニット２１と、シャッタユニット２１の後方に位置するイメージセンサ（撮影用受光部）２２が設けられている。ミラーボックス１４の内部空間として、撮影レンズ系１２ａからシャッタユニット２１及びイメージセンサ２２に至る撮影光路が形成されており、ファインダ光学系１６は撮影光路の上方の領域に位置し、焦点検出装置１７は撮影光路の下方の領域に位置している。シャッタユニット２１は、先幕と後幕を所定の時間差で動作させて露光時間を制御するフォーカルプレーンシャッタを有しており、通常時はシャッタを閉じてイメージセンサ２２側への被写体光束の進行を遮り、露光時に先幕と後幕を動作させてイメージセンサ２２へ被写体光束を到達させる。
【００２５】
クイックリターンミラー１５は、図２に示すミラーダウン位置（第１の状態）と図３に示すミラーアップ位置（第２の状態）とに移動可能であり、図１ではミラーダウン位置とミラーアップ位置の両方を示している。図４に示すように、クイックリターンミラー１５はメインミラーユニット３０とサブミラーユニット４０を組み合わせて構成されている。
【００２６】
メインミラーユニット３０は、メインミラーシート（メインミラー支持部材、支持部材）３２上にメインミラー３１を支持している。メインミラー３１はメインミラーシート３２において、クイックリターンミラー１５がミラーダウン位置にあるときに斜め前方を向き、クイックリターンミラー１５がミラーアップ位置にあるときに上方を向く側の面に支持されている。このメインミラー３１が支持されている側をメインミラーユニット３０における表面とし、その反対側（クイックリターンミラー１５がミラーダウン位置にあるときに斜め後方を向き、クイックリターンミラー１５がミラーアップ位置にあるときに下方を向く側）をメインミラーユニット３０における裏面とする。メインミラーシート３２はヒンジピン３３（図４）を介してミラーボックス１４内に軸支されている。メインミラーシート３２の中央には略矩形の開口部（光通過部）３２ａが表裏を貫通して形成されており、開口部３２ａを通してメインミラー３１の一部がメインミラーシート３２の裏面側に露出している。メインミラー３１は、少なくとも開口部３２ａと重なる部分がハーフミラーとなっており、メインミラー３１を透過した光は開口部３２ａを通してメインミラーシート３２の裏面側に進むことができる。
【００２７】
メインミラーユニット３０はさらに遮光部材３５を有している。遮光部材３５は、メインミラーシート３２の裏面側に支持されており、略矩形をなす開口部３２ａの前縁部分に沿って位置している。遮光部材３５は、それぞれが平板状をなす遮光板部（遮光部）３５ａと支持部３５ｂを有しており、図１ないし図３のように側方から見て、遮光板部３５ａと支持部３５ｂの間が所定の角度で屈曲する「く」の字状の形状となっている。図４と図５に示すように、遮光板部３５ａと支持部３５ｂはそれぞれメインミラーシート３２の横幅方向に細長い矩形状であり、同方向において遮光板部３５ａが支持部３５ｂよりも長い。この遮光板部３５ａの長さは、開口部３２ａの横幅全体をカバーするものである。図５に示すように、支持部３５ｂには長孔３５ｃが貫通形成されている。遮光板部３５ａには光の反射率を低減させる植毛紙（反射低減部）３５ｄが貼付されている。
【００２８】
図２、図３及び図６に示すように、メインミラーシート３２の前端付近の裏面側には支持凹部３２ｂが形成されている。支持凹部３２ｂはメインミラーシート３２の横幅方向の略中央に位置しており、支持凹部３２ｂの横幅は遮光部材３５の支持部３５ｂの横幅と略同じである。図６に示すように、支持凹部３２ｂの両側には、支持凹部３２ｂに対してメインミラーシート３２の裏面側に突出する一対の支持段部３２ｃが設けられている。支持凹部３２ｂと各支持段部３２ｃの前側には、各支持段部３２ｃよりもメインミラーシート３２の裏面側への突出量が大きい前壁部３２ｄが設けられている。また、各支持段部３２ｃの側方には、前壁部３２ｄに接続する一対の側壁部３２ｅが設けられている。支持凹部３２ｂは、一対の支持段部３２ｃと前壁部３２ｄとによって三方が囲まれ、前壁部３２ｄと反対に位置する開口部３２ａ側が開放された凹部である。
【００２９】
図６に示すように、遮光部材３５は支持部３５ｂを支持凹部３２ｂの底面上に重ねて支持される。この状態で、メインミラーシート３２の前端側への支持部３５ｂの移動が前壁部３２ｄによって規制され、メインミラーシート３２の横幅方向への支持部３５ｂの移動が一対の支持段部３２ｃによって規制され、メインミラーシート３２に対する遮光部材３５の位置が定まる。支持部３５ｂは所定の固定手段により支持凹部３２ｂ内に固定される。固定手段として、両面テープや接着剤などを用いることができる。両面テープを用いる場合、支持凹部３２ｂの底面に両面テープの片面を貼り付けた状態にしておき、支持部３５ｂを取り付ける段階で両面テープの反対側の面の剥離紙を外して支持部３５ｂを載せるとよい。接着剤を用いる場合は、長孔３５ｃの領域を含むように接着剤を充填するとよい。両面テープと接着剤を併用してもよい。
【００３０】
図６のように遮光部材３５の支持部３５ｂを支持凹部３２ｂに支持させてから、さらに図４に示すように、支持部３５ｂを裏面側から覆うカバー部材３６が取り付けられる。カバー部材３６は、前壁部３２ｄと一対の側壁部３２ｅに囲まれるスペースに収まる形状の板状部材であり、一対の支持段部３２ｃ上に載置されて固定される。このようにしてメインミラーシート３２に取り付けられた遮光部材３５の遮光板部３５ａは、メインミラーシート３２の前端側から後方に進むにつれて（メインミラーシート３２に接続する支持部３５ｂから離れるにつれて）メインミラー３１との間隔を大きくする（裏面側への突出量を大きくする）ように傾斜しながら、開口部３２ａの前縁部付近の裏側に位置する。植毛紙３５ｄは遮光板部３５ａのうち開口部３２ａに向く側（メインミラー３１に向く面、メインミラーユニット３０の表面側）の面に設けられている。
【００３１】
サブミラーユニット４０は、サブミラーシート（サブミラー支持部材）４２上にサブミラー４１を支持している。サブミラーシート４２はメインミラーシート３２に対して支持軸４３（図４）を介して軸支されている。図４に示すように、サブミラーシート４２は、支持軸４３による軸支を受ける一対の側板部４２ａを両側に有し、一対の側板部４２ａの間にサブミラー４１を支持するミラー枠部４２ｂを有している。ミラー枠部４２ｂはメインミラーシート３２に形成した開口部３２ａに進入可能な形状及び厚みになっている。図１に二点鎖線で示す移動軌跡４０Ｍは、サブミラーユニット４０が支持軸４３を中心として回動するときのサブミラーシート４２の先端部の位置変化の軌跡を示したものである。
【００３２】
ミラーボックス１４には、クイックリターンミラー１５の下方に位置する底壁に底面開口１４ａが形成され、底面開口１４ａの下方のスペースに焦点検出装置１７が支持されている。焦点検出装置１７は、撮影画面の複数領域の焦点検出が可能なマルチ測距用のＡＦモジュールであり、コンデンサレンズ５１、第１ミラー５２、第２ミラー５３、セパレータマスク５４、セパレータレンズ５５、赤外線カットフィルタ５６、焦点検出部５７をそれぞれハウジング５０内に固定状態で保持している。ハウジング５０はＬ字状の内部空間を有しており、ハウジング５０のうち上方を向く一方の端部（入射側端部）の内部にコンデンサレンズ５１が取り付けられ、ハウジング５０のうち後方を向く他方の端部（出射側端部）付近に焦点検出部５７が取り付けられている。赤外線カットフィルタ５６は焦点検出部５７の前面に設けられている。図１ないし図３に示すように、ハウジング５０の入射側端部には入射開口５０ａが形成されている。入射開口５０ａは、コンデンサレンズ５１の入射面よりもわずかに小径の開口である。第１ミラー５２はコンデンサレンズ５１の下方に位置し、第２ミラー５３は第１ミラー５２の斜め前方に位置している。セパレータマスク５４とセパレータレンズ５５は第２ミラー５３の斜め後方に位置し、セパレータレンズ５５のさらに斜め後方に焦点検出部５７が位置している。焦点検出部５７は複数のラインセンサによって構成されている。
【００３３】
図示を省略するミラー駆動機構によって、クイックリターンミラー１５をミラーダウン位置（図２）とミラーアップ位置（図３）に動作させることができる。ミラーボックス１４内に設けたストッパ１４ｂ（図１）にメインミラーシート３２が当接することでクイックリターンミラー１５のミラーダウン位置が定まる。
【００３４】
図２に示すクイックリターンミラー１５のミラーダウン位置では、メインミラーユニット３０はファインダ導光位置に保持される。メインミラーユニット３０のファインダ導光位置では、メインミラー３１が撮影レンズ系１２ａとシャッタユニット２１の間の撮影光路上に斜設され、撮影レンズ系１２ａを通してミラーボックス１４内に進んだ被写体光束がメインミラー３１によって上方に反射される。メインミラー３１の上方にはイメージセンサ２２の受光面と光学的に等価な位置にピント板１８が設けられており、メインミラー３１で反射された被写体光束がピント板１８に結像し、ディストーション補正レンズ１９とペンタゴナルダハプリズム２０と接眼レンズを経て（すなわちファインダ光学系１６を介して）被写体像を観察することができる。
【００３５】
クイックリターンミラー１５のミラーダウン位置では、サブミラーユニット４０は反射位置に保持される。反射位置にあるサブミラーユニット４０は、サブミラー４１をメインミラー３１に対して斜め下方（支持軸４３から離れるにつれて後方へ進む方向）に突出させる。そして、ハーフミラーであるメインミラー３１を透過した所定の割合の被写体光束が、開口部３２ａを通って後方に進み、開口部３２ａの後方に位置するサブミラー４１によって焦点検出装置１７に向けて反射される。サブミラー４１で反射された被写体光束は、底面開口１４ａ及び入射開口５０ａを通ってコンデンサレンズ５１に入射し、第１ミラー５２と第２ミラー５３で反射されてセパレータマスク５４に達する。セパレータマスク５４とセパレータレンズ５５を通して各測距エリアにおける分割された被写体像が焦点検出部５７の受光面に結ばれ、位相差方式によって合焦状態が検出される。このように撮影レンズ系１２ａから直接にクイックリターンミラー１５に進んで焦点検出装置１７で焦点検出に用いられる正規の被写体光束を、図１に焦点検出用光束ＦＬ１として示した。
【００３６】
遮光部材３５の遮光板部３５ａは、クイックリターンミラー１５がミラーダウン位置にあるときに、正規の焦点検出用光束ＦＬ１を妨げることなく、ファインダ光学系１６が位置する上方からクイックリターンミラー１５を経て焦点検出装置１７側に進もうとする有害な迷光を遮断することができる。図１に示す光線ＳＬは、ファインダ導光位置にあるメインミラーユニット３０のメインミラー３１によって反射された光束のうちピント板１８によってメインミラー３１側へ再反射された光を模式的に示したものである。遮光部材３５の遮光板部３５ａは、メインミラー３１の裏側において光線ＳＬの延長上に位置しており、かつ概ね光線ＳＬに正対する方向（光軸ＯＡに沿う方向）に向けて延びているため、メインミラー３１を透過した光線ＳＬは遮光板部３５ａによって焦点検出装置１７側への進行を遮られる（遮光板部３５ａによって遮られない場合の仮想の光線ＳＬ’を図１に破線で示した）。従って、光線ＳＬは焦点検出装置１７において焦点検出精度の低下を招く有害な迷光とはならない。このとき、遮光板部３５ａ上に貼付した植毛紙３５ｄによって遮光効果が向上する。
【００３７】
別言すれば、クイックリターンミラー１５のミラーダウン位置では、焦点検出装置１７への光束の入射範囲を決める入射開口５０ａの直上に遮光板部３５ａが位置することによって、メインミラー３１の上方の領域からメインミラー３１の下方に位置する焦点検出装置１７へ向けて進もうとする有害な光を遮ることができる。より詳しくは、クイックリターンミラー１５のミラーダウン位置では、図２に示すように、メインミラーシート３２の開口部３２ａと焦点検出装置１７の入射開口５０ａが、光軸ＯＡに沿う前後方向で略同じ範囲に位置している。そして、図２に示すように、開口部３２ａと入射開口５０ａを結ぶ空間ＳＰ（開口部３２ａを一端とし入射開口５０ａを他端として上下方向に延びる空間、入射開口５０ａを開口部３２ａ（ファインダ光学系１６）に向けて延長した空間、サブミラー４１を経由せずに開口部３２ａから入射開口５０ａに直接に向かう光路）内に遮光板部３５ａが位置しているため、遮光板部３５ａが設けられている箇所では、サブミラー４１による反射を経ずに開口部３２ａから入射開口５０ａに向けて直接に進もうとする光（例えば図１の光線ＳＬ）を遮光板部３５ａによって遮断できる。
【００３８】
図３に示すクイックリターンミラー１５のミラーアップ位置では、メインミラーユニット３０は退避位置に保持される。メインミラーユニット３０の退避位置では、メインミラー３１とメインミラーシート３２のいずれも、レンズ鏡筒１２の撮影レンズ系１２ａからシャッタユニット２１及びイメージセンサ２２に向けて進む露光用の被写体光束ＦＬ２（図１）を遮らない。図１に示すように、メインミラーシート３２の裏面側に突出する遮光部材３５の遮光板部３５ａについても、露光用の被写体光束ＦＬ２を遮らない位置と形状に設定されている。
【００３９】
クイックリターンミラー１５のミラーアップ位置では、サブミラーユニット４０は収納位置に保持される。図３に示すように、収納位置にあるサブミラーユニット４０は、サブミラー４１とミラー枠部４２ｂがメインミラーシート３２の開口部３２ａ内に進入してメインミラーシート３２の裏面に沿う状態となり、露光用の被写体光束ＦＬ２（図１）を遮らない。また、図１に示すサブミラーユニット４０の先端部分の移動軌跡４０Ｍと遮光部材３５の遮光板部３５ａの位置関係から分かるように、サブミラーユニット４０は、遮光部材３５と干渉することなく、メインミラーユニット３０に対して反射位置と収納位置の間で回動することができる。別言すれば、メインミラーユニット３０における遮光板部３５ａの位置、突出量及び突出方向が、サブミラーユニット４０の回動軌跡と重ならないように設定されている。
【００４０】
以上のように、本実施形態の一眼レフカメラ１０では、クイックリターンミラー１５を構成するメインミラーユニット３０の裏面側に遮光板部３５ａを備えている。遮光板部３５ａは、クイックリターンミラー１５のミラーダウン位置において、焦点検出装置１７で焦点検出に用いられる焦点検出用光束ＦＬ１を妨げない位置にあり、かつ光線ＳＬのように焦点検出用光束ＦＬ１と異なる経路でクイックリターンミラー１５の上方（ファインダ光学系１６側）から焦点検出装置１７に向かおうとする迷光を遮断する位置にあるため、迷光による焦点検出精度の低下を防ぐことができる。遮光板部３５ａをメインミラーユニット３０に設けることで、ミラーボックス１４や焦点検出装置１７の内部に別途複雑な遮光構造を設けるよりも簡単かつ安価に優れた迷光防止効果を得ることができ、生産性やメンテナンス性の点で有利となる。
【００４１】
以上、図示実施形態に基づいて本発明を説明したが、本発明は図示実施形態に限定されるものではない。例えば、図示実施形態では、メインミラーシート３２に対して遮光部材３５を固定的に支持した上で、サブミラーユニット４０が図２の反射位置と図３の収納位置の間で動作するときに遮光部材３５に対して接触しないように構成している。これと異なり、遮光部材３５の遮光板部３５ａをメインミラーシート３２の裏面に対する接離方向に可動（または変形）可能にした上で、サブミラーユニット４０が図２の反射位置から図３の収納位置に移動するときに、サブミラーユニット４０の一部が遮光板部３５ａをメインミラーシート３２側に押し込んで移動（または変形）させるような構成にすることも可能である。この構成によると、サブミラーユニット４０の先端部分の移動軌跡４０Ｍと重なるまで遮光板部３５ａを延長することが可能なため、クイックリターンミラー１５のミラーダウン位置（図２）において遮光板部３５ａで有害光を遮断できる範囲を広くさせることができる。また、クイックリターンミラー１５のミラーアップ位置（図３）で、メインミラーシート３２の開口部３２ａの前縁付近を遮光板部３５ａによって裏面側から塞いで、ファインダ光学系１６からの逆入射光の遮断効果を高めやすくなる。但し、図示実施形態では、図１に示すように、クイックリターンミラー１５のミラーアップ位置で露光用の被写体光束ＦＬ２が通る位置（撮影光路）の直近に遮光板部３５ａの先端が位置している。そのため、図示実施形態の部材配置を保ちながら遮光板部３５ａを延長する場合は、露光用の被写体光束ＦＬ２への干渉を防ぐべく、メインミラーシート３２に対する遮光板部３５ａの突出角度を変更する（メインミラーシート３２の裏面側に近づけるように突出角度を寝かせる）などの対応が必要となる。
【００４２】
図示実施形態では、遮光部材３５をメインミラーシート３２に取り付けて遮光部（遮光板部３５ａ）を構成しているが、遮光板部３５ａに相当する遮光部をメインミラーシート３２と一体的に形成することも可能である。
【００４３】
図示実施形態では、遮光部材３５の遮光板部３５ａに、光の反射を抑える反射低減部として植毛紙３５ｄを貼付しているが、遮光板部３５ａ上に塗布する塗料や、遮光板部３５ａ上に形成される斜光線（凹凸形状）などによって光の反射を低減させてもよい。
【００４４】
本発明は、図示実施形態の焦点検出装置１７のように、撮影光路を挟んでファインダ光学系１６に対して概ね正対する位置関係にある第１ミラー５２を備えているタイプに特に有効である。但し、本発明を適用する撮像装置における焦点検出装置の詳細構造は、図示実施形態の焦点検出装置１７に限定されるものではない。すなわち、焦点検出精度に悪影響を及ぼす迷光を、クイックリターンミラー１５側に設けた遮光部（遮光板部３５ａ）によって効果的に遮断できる関係が成立すれば、焦点検出装置１７とは異なる形態の焦点検出装置を用いてもよい。
【００４５】
図示実施形態の一眼レフカメラ１０は、撮影用の受光部としてイメージセンサ２２を用いるいわゆるデジタルカメラであるが、本発明は撮影用の受光部として銀塩フィルムを用いる撮像装置にも適用が可能である。
【符号の説明】
【００４６】
１０  一眼レフカメラ（撮像装置）
１１  カメラボディ
１２  レンズ鏡筒
１２ａ  撮影レンズ系
１３  レンズマウント
１４  ミラーボックス
１４ａ  底面開口
１５  クイックリターンミラー（可動ミラー）
１６  ファインダ光学系
１７  焦点検出装置
１８  ピント板
１９  ディストーション補正レンズ
２０  ペンタゴナルダハプリズム
２１  シャッタユニット
２２  イメージセンサ（撮影用受光部）
３０  メインミラーユニット
３１  メインミラー
３２  メインミラーシート（メインミラー支持部材、支持部材）
３２ａ  開口部（光通過部）
３２ｂ  支持凹部
３２ｃ  支持段部
３２ｄ  前壁部
３２ｅ  側壁部
３３  ヒンジピン
３５  遮光部材
３５ａ  遮光板部（遮光部）
３５ｂ  支持部
３５ｃ  長孔
３５ｄ  植毛紙（反射低減部）
３６  カバー部材
４０  サブミラーユニット
４０Ｍ  サブミラーユニットの移動軌跡
４１  サブミラー
４２  サブミラーシート（サブミラー支持部材）
４２ａ  側板部
４２ｂ  ミラー枠部
４３  支持軸
５０  ハウジング
５０ａ  入射開口
５１  コンデンサレンズ
５２  第１ミラー
５３  第２ミラー
５４  セパレータマスク
５５  セパレータレンズ
５６  赤外線カットフィルタ
５７  焦点検出部
７０  レンズマウント
７１  クイックリターンミラー
７２  ピント板
７４  メインミラー
７５  サブミラー
７６  コンデンサレンズ
７７  第１ミラー
７８  第２ミラー
７９  セパレータマスク
８０  セパレータレンズ
８１  焦点検出部
ＦＬ１  焦点検出用光束
ＦＬ２  露光用の被写体光束
ＯＡ  撮影レンズ系の光軸
ＳＰ  メインミラーシートの開口部と焦点検出装置の入射開口を結ぶ空間
【図１】
0006679975.tif 000002
【図２】
0006679975.tif 000003
【図３】
0006679975.tif 000004
【図４】
0006679975.tif 000005
【図５】
0006679975.tif 000006
【図６】
0006679975.tif 000007
【図７】
0006679975.tif 000008